(57)【特許請求の範囲】
【請求項１】
被写体を撮像して該被写体の電子的な画像データを連続的に生成する撮像部と、前記撮像部が生成した画像データを記憶する画像データ記憶部と、前記撮像部が生成した画像データに対応する画像を表示可能な表示部とを備え、前記画像データに特殊効果を施すことが可能な撮像装置であって、
各撮影シーンに適した撮影のフレームレートが予め設定された複数の撮影モードの中からいずれかの撮影モードを設定する撮影モード設定部と、
前記撮影モード設定部が設定した前記撮影モードにおけるフレームレートで生成された前記画像に対して特殊効果に関する情報の入力を受け付ける入力部と、
前記入力部が受け付けた情報に応じた特殊効果を前記画像に施して特殊効果画像を生成する特殊効果画像生成部と、
前記撮影モード設定部が設定した前記撮影モードのフレームレートで順次生成された前記画像を時系列に沿って前記表示部に表示させるとともに、前記撮影モード設定部が設定した撮影モードのフレームレートに対して組み合わせ可能な特殊効果に関する情報のみを前記表示部に表示させる表示制御部と、
を備えたことを特徴とする撮像装置。
【請求項２】
前記特殊効果画像生成部が前記画像に施す特殊効果と前記撮影モードのフレームレートとの組み合わせに応じた推奨度を与える推奨度情報を記憶する推奨度情報記憶部をさらに備え、
前記表示制御部は、前記推奨度情報記憶部が記憶する前記推奨度情報を参照して、前記特殊効果画像生成部が前記画像に施すべき特殊効果に関する情報を、前記撮影モード設定部が設定した撮影モードのフレームレートとの組み合わせに応じた前記推奨度の高い順に前記表示部に表示させることを特徴とする請求項１に記載の撮像装置。
【請求項３】
前記入力部は、前記表示部の表示画面上に設けられ、外部から接触する物体の位置に応じた信号の入力を受け付けるタッチパネルを有し、
前記表示制御部は、前記特殊効果に関する情報をアイコンによって前記表示部に表示させ、
前記特殊効果画像生成部は、前記タッチパネルが前記アイコンの表示領域上に位置する接触領域で入力を受け付けた前記アイコンに対応する特殊効果を、前記画像に施して前記特殊効果画像を生成することを特徴とする請求項１または２に記載の撮像装置。
【請求項４】
前記表示制御部は、前記撮影モード設定部が設定した前記撮影モードのフレームレートと特殊効果との組み合わせに応じて前記アイコンの色および／または大きさを変えて前記表示部に表示させることを特徴とする請求項３に記載の撮像装置。
【請求項５】
被写体を撮像して該被写体の電子的な画像データを連続的に生成し、該画像データに対応する画像を表示可能であるとともに、前記画像に特殊効果を施すことが可能な撮像装置が実行する表示方法であって、
各撮影シーンに適した撮影のフレームレートが予め設定された複数の撮影モードの中からいずれかの撮影モードを当該撮像装置に設定する撮影モード設定ステップと、
前記撮影モード設定ステップが設定した前記撮影モードにおけるフレームレートで生成された前記画像に対して特殊効果に関する情報の入力を受け付ける入力ステップと、
前記入力ステップが受け付けた情報に応じた特殊効果を前記画像に施して特殊効果画像を生成する特殊効果画像生成ステップと、
前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、
を含むことを特徴とする表示方法。
【請求項６】
被写体を撮像して該被写体の電子的な画像データを連続的に生成し、該画像データに対応する画像を表示可能であるとともに、前記画像に特殊効果を施すことが可能な撮像装置に、
各撮影シーンに適した撮影のフレームレートが予め設定された複数の撮影モードの中からいずれかの撮影モードを当該撮像装置に設定する撮影モード設定ステップと、
前記撮影モード設定ステップが設定した前記撮影モードにおけるフレームレートで生成された前記画像に対して特殊効果に関する情報の入力を受け付ける入力ステップと、
前記入力ステップが受け付けた情報に応じた特殊効果を前記画像に施して特殊効果画像を生成する特殊効果画像生成ステップと、
前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、
を実行させることを特徴とする撮像プログラム。
【発明の詳細な説明】
【技術分野】
【０００１】
本発明は、被写体を撮像して電子的な画像データを生成する撮像装置および撮像プログラムに関する。
【背景技術】
【０００２】
近年、デジタルカメラやデジタルビデオ等の撮像装置において、被写体を撮像した画像データに特殊効果を施すことによって、消費者の様々な要望に応える技術が知られている。たとえば、被写体を撮像した画像データにワイプやセピア等の特殊効果を施した画像データを記録することができる技術が知られている（特許文献１参照）。この技術では、ユーザが特殊効果を選択するエフェクトスイッチを操作している際に選択された特殊効果を施した画像を、表示モニタが表示している画像上の一部に表示させることにより、ユーザに所望の特殊効果を容易に選択させることができるようになっている。
【０００３】
また、同一の被写体に対して複数回撮像し、撮像した複数の画像データに対応する画像を用いて画像内に含まれる被写体画像と背景画像とを分離し、分離した背景画像にぼかしを施した後、再度被写体画像に合成して合成画像を生成する撮像装置が知られている（特許文献２参照）。
【０００４】
また、動画を撮影する際に様々な撮影シーンに対応するため、撮像する画像のフレームレート（ｆｐｓ：Frame  Per  Second）が予め設定された複数の撮影モードの中からユーザが選択して撮影することができる撮像装置が知られている（特許文献３参照）。
【先行技術文献】
【特許文献】
【０００５】
【特許文献１】特開２００５−３４７８８６号公報
【特許文献２】特許第４３２１２８７号公報
【特許文献３】特許第４４６４０７９号公報
【発明の概要】
【発明が解決しようとする課題】
【０００６】
しかしながら、従来の撮像装置では、撮像する画像のフレームレートが高速になると特殊効果によっては処理が間に合わなくなることで動画が不自然になったりする場合があった。このため、動画に特殊効果を施す場合に、撮像する画像のフレームレートと特殊効果との組み合わせの選択の指針となる情報を提示することができる技術が求められていた。
【０００７】
本発明は、上記に鑑みてなされたものであって、動画に特殊効果を施す場合に、特殊効果の選択の指針となる情報を提示することができる撮像装置および撮像プログラムを提供することを目的とする。
【課題を解決するための手段】
【０００８】
上述した課題を解決し、目的を達成するために、本発明にかかる撮像装置は、被写体を撮像して該被写体の電子的な画像データを連続的に生成する撮像部と、前記撮像部が生成した画像データを記憶する画像データ記憶部と、前記撮像部が生成した画像データに対応する画像を表示可能な表示部とを備え、前記画像データに特殊効果を施すことが可能な撮像装置であって、各撮影シーンに適した撮影のフレームレートが予め設定された複数の撮影モードの中からいずれかの撮影モードを設定する撮影モード設定部と、前記撮影モード設定部が設定した前記撮影モードにおけるフレームレートで生成された前記画像に対して特殊効果に関する情報の入力を受け付ける入力部と、前記入力部が受け付けた情報に応じた特殊効果を前記画像に施して特殊効果画像を生成する特殊効果画像生成部と、前記撮影モード設定部が設定した前記撮影モードのフレームレートで順次生成された前記画像を時系列に沿って前記表示部に表示させるとともに、前記撮影モード設定部が設定した撮影モードのフレームレートに対して組み合わせ可能な特殊効果に関する情報のみを前記表示部に表示させる表示制御部と、を備えたことを特徴とする。
【０００９】
また、本発明に係る撮像装置は、上記発明において、前記特殊効果画像生成部が前記画像に施す特殊効果と前記撮影モードのフレームレートとの組み合わせに応じた推奨度を与える推奨度情報を記憶する推奨度情報記憶部をさらに備え、前記表示制御部は、前記推奨度情報記憶部が記憶する前記推奨度情報を参照して、前記特殊効果画像生成部が前記画像に施すべき特殊効果に関する情報を、前記撮影モード設定部が設定した撮影モードのフレームレートとの組み合わせに応じた前記推奨度の高い順に前記表示部に表示させることを特徴とする。
【００１０】
また、本発明にかかる撮像装置は、上記発明において、前記入力部は、前記表示部の表示画面上に設けられ、外部から接触する物体の位置に応じた信号の入力を受け付けるタッチパネルを有し、前記表示制御部は、前記特殊効果に関する情報をアイコンによって前記表示部に表示させ、前記特殊効果画像生成部は、前記タッチパネルが前記アイコンの表示領域上に位置する接触領域で入力を受け付けた前記アイコンに対応する特殊効果を、前記画像に施して前記特殊効果画像を生成することを特徴とする。
【００１１】
また、本発明にかかる撮像装置は、上記発明において、前記表示制御部は、前記モード設定部が設定した前記撮影モードのフレームレートと特殊効果との組み合わせに応じて前記アイコンの色および／または大きさを変えて前記表示部に表示させることを特徴とする。
【００１２】
また、本発明にかかる表示方法は、被写体を撮像して該被写体の電子的な画像データを連続的に生成し、該画像データに対応する画像を表示可能であるとともに、前記画像に特殊効果を施すことが可能な撮像装置が実行する表示方法であって、各撮影シーンに適した撮影のフレームレートが予め設定された複数の撮影モードの中からいずれかの撮影モードを当該撮像装置に設定する撮影モード設定ステップと、前記撮影モード設定ステップが設定した前記撮影モードにおけるフレームレートで生成された前記画像に対して特殊効果に関する情報の入力を受け付ける入力ステップと、前記入力ステップが受け付けた情報に応じた特殊効果を前記画像に施して特殊効果画像を生成する特殊効果画像生成ステップと、前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、を含むことを特徴とする。
また、本発明にかかる撮像プログラムは、被写体を撮像して該被写体の電子的な画像データを連続的に生成し、該画像データに対応する画像を表示可能であるとともに、前記画像に特殊効果を施すことが可能な撮像装置に、各撮影シーンに適した撮影のフレームレートが予め設定された複数の撮影モードの中からいずれかの撮影モードを当該撮像装置に設定する撮影モード設定ステップと、前記撮影モード設定ステップが設定した前記撮影モードにおけるフレームレートで生成された前記画像に対して特殊効果に関する情報の入力を受け付ける入力ステップと、前記入力ステップが受け付けた情報に応じた特殊効果を前記画像に施して特殊効果画像を生成する特殊効果画像生成ステップと、前記撮影モード設定ステップで設定した前記撮影モードのフレームレートで順次生成された前記画像を時系列に沿って表示部に表示させるとともに、前記撮影モード設定ステップで設定した撮影モードのフレームレートに対して組み合わせ可能な特殊効果に関する情報のみを表示部に表示させる表示制御ステップと、を実行させることを特徴とする。
【発明の効果】
【００１３】
本発明によれば、撮影モードのフレームレートで生成された画像に対して特殊効果の組み合わせの指針となる情報をユーザに提示することができるという効果を奏する。
【図面の簡単な説明】
【００１４】
【図１】図１は、本発明の一実施の形態にかかる撮像装置の構成を示すブロック図である。
【図２】図２は、本発明の一実施の形態にかかる撮像装置の被写体に面する側の構成を示す図である。
【図３】図３は、本発明の一実施の形態にかかる撮像装置のユーザに面する側の構成を示す図である。
【図４】図４は、本発明の一実施の形態にかかる撮像装置が行う処理の概要を示すフローチャートである。
【図５】図５は、撮像装置が撮影モードで被写体を撮影する際の状況および表示部が表示する画像の一例を示す図である。
【図６】図６は、図４に示すメニュー操作処理の概要を示すフローチャートである。
【図７】図７は、撮像装置の表示部が表示する操作メニューの一例を示す図である。
【図８】図８は、撮像装置の表示部が表示する画像の一例を示す図である。
【図９】図９は、撮像装置の推奨度記憶情報部が記憶する推奨度情報テーブルの一例を示す図である。
【図１０】図１０は、撮像装置の表示部が表示する画像の一例を示す図である。
【図１１】図１１は、撮像装置の表示部が表示する画像の一例を示す図である。
【図１２】図１２は、図４に示す再生表示処理の概要を示すフローチャートである。
【発明を実施するための形態】
【００１５】
以下に、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００１６】
図１は、本発明の一実施の形態にかかる撮像装置の構成を示すブロック図である。図２は、本発明の一実施の形態にかかる撮像装置の被写体に面する側（前面側）の構成を示す図である。図３は、本発明の一実施の形態にかかる撮像装置のユーザに面する側（背面側）の構成を示す図である。
【００１７】
図１〜図３に示すように、撮像装置１は、被写体を撮像し、撮像した被写体の電子的な画像データを生成する撮像部２と、撮像装置１の加速度を検出する姿勢検出部３と、撮像部２が撮像する視野領域に光を照射する発光部４と、撮影日時の判定機能やタイマー機能を有する時計５と、撮像装置１の各種情報の入力を受け付ける操作入力部６と、撮像部２が生成した画像データに対応する画像を表示する表示部７と、外部からの接触位置に応じた信号の入力を受け付けるタッチパネル８と、撮像部２によって生成された画像データを含む各種情報を記憶する記憶部９と、インターネットを介して外部処理装置と相互方向に送受信を行う通信部１０と、撮像装置１の動作を制御する制御部１１と、を備える。
【００１８】
撮像部２は、レンズ部２ａと、レンズ駆動機構２ｂと、絞り２ｃと、絞り駆動機構２ｄと、シャッタ２ｅと、シャッタ駆動機構２ｆと、撮像素子２ｇと、信号処理部２ｈとを有する。
【００１９】
レンズ部２ａは、フォーカスレンズやズームレンズ等を用いて構成され、所定の視野領域からの光を集光する。レンズ駆動機構２ｂは、ＤＣモータ等を用いて構成され、レンズ部２ａのフォーカスレンズやズームレンズ等を光軸Ｌ１上で移動させることにより、レンズ部２ａのピント位置や焦点距離等の変更を行う。
【００２０】
絞り２ｃは、レンズ部２ａが集光した光の入射量を制限することにより露出の調整を行う。絞り駆動機構２ｄは、ステッピングモータ等を用いて構成され、絞り２ｃを駆動する。
【００２１】
シャッタ２ｅは、撮像素子２ｇの状態を露光状態または遮光状態に設定する。シャッタ駆動機構２ｆは、ステッピングモータ等を用いて構成され、レリーズ信号に応じてシャッタ２ｅを駆動する。
【００２２】
撮像素子２ｇは、レンズ部２ａが集光した光を受光して電気信号（アナログ信号）に変換するＣＣＤ（Charge  Coupled  Device）やＣＭＯＳ（Complementary  Metal  Oxide  Semiconductor）等を用いて構成され、変換した電気信号を信号処理部２ｈに出力する。
【００２３】
信号処理部２ｈは、撮像素子２ｇから出力される電気信号に増幅等の信号処理を施した後、Ａ／Ｄ変換を行うことによってデジタルの画像データに変換して制御部１１に出力する。
【００２４】
姿勢検出部３は、加速度センサを用いて構成される。姿勢検出部３は、撮像装置１の加速度を検出することにより、撮像装置１の姿勢状態および／または動きを検出する。具体的には、姿勢検出部３は、水平面を基準としたときの撮像装置１の姿勢を検出する。
【００２５】
発光部４は、キセノンランプやＬＥＤ（Light  Emitting  Diode）等を用いて構成される。発光部４は、撮像部２の視野領域へ向けて補助光であるストロボ光を照射する。
【００２６】
時計５は、撮像装置１の動作の基準となる時間信号を生成する。これにより、制御部１１は、撮像素子２ｇから画像データを取得する取得時間や撮像素子２ｇの露光時間等を設定することができる。
【００２７】
操作入力部６は、撮像装置１の電源状態をオン状態またはオフ状態に切換える電源スイッチ６ａと、撮影の指示を与えるレリーズ信号を入力するレリーズスイッチ６ｂと、撮像装置１の各種撮影のモードを切換えるモード切換スイッチ６ｃと、撮像装置１の各種設定を切換える操作スイッチ６ｄと、撮像装置１の各種撮影モードおよび特殊効果に関する情報を表示部７に表示させるメニュースイッチ６ｅと、撮像部２のズーム操作を行うズームスイッチ６ｆとを有する。
【００２８】
表示部７は、液晶または有機ＥＬ（Electro  Luminescence）等からなる表示パネルを用いて実現される。表示部７は、撮像部２が生成する画像データに対応する画像を表示する。表示部７は、撮像装置１の操作情報および撮影に関する情報を適宜表示する。
【００２９】
タッチパネル８は、表示部７の表示画面上に重ねて設けられる（図３を参照）。タッチパネル８は、ユーザが表示部７で表示される情報に基づいて接触（タッチ）した位置を検出し、この接触位置に応じた操作信号の入力を受け付ける。一般に、タッチパネルとしては、抵抗膜方式、静電容量方式、光学式等がある。本実施の形態では、いずれの方式のタッチパネルであっても適用可能である。なお、本実施の形態では、タッチパネル８が入力部として機能する。
【００３０】
記憶部９は、撮像装置１の内部に固定的に設けられるフラッシュメモリやＲＡＭ（Random  Access  Memory）等の半導体メモリを用いて実現される。記憶部９は、撮像部２が連続的に撮像した画像データを記憶する画像データ記憶部９ａと、撮像装置１が実行する各種プログラムおよび本発明の一実施の形態にかかる撮像プログラムを記憶するプログラム記憶部９ｂと、各撮影シーンに適した撮影のフレームレートが設定された撮影モードに関する情報が記憶された撮影モード情報記憶部９ｃと、特殊効果を画像に施す際に特殊効果と撮影モードのフレームレートとの組み合わせ応じた推奨度を与える推奨度情報テーブルを記憶する推奨度情報記憶部９ｄとを有する。なお、記憶部９に対し、外部から装着されるメモリカード等の記憶媒体に対して情報を記憶する一方、記憶媒体が記憶する情報を読み出す記録媒体インターフェースとしての機能を具備させてもよい。
【００３１】
通信部１０は、通信インターフェースとしての機能を有し、ネットワーク（図示せず）を介してサーバ（図示せず）やパーソナルコンピュータ等の外部処理装置と相互方向に送受信を行う。通信部１０は、外部処理装置との間で送受信を行うことにより、撮像装置１の各種プログラムデータや推奨度情報テーブルに関するデータを取得する。なお、通信部１０は、有線または無線ＬＡＮ（Local  Area  Network）を介してネットワークに接続される。
【００３２】
制御部１１は、ＣＰＵ（Central  Processing  Unit）等によって実現される。制御部１１は、操作入力部６からの操作信号等に応じて記憶部９のプログラム記憶部９ｂからプログラムを読み出して実行し、撮像装置１を構成する各部に対する指示やデータの転送等を行って撮像装置１の動作を統括的に制御する。制御部１１は、画像処理部１１ａと、撮影モード設定部１１ｂと、特殊効果画像生成部１１ｃと、表示制御部１１ｄとを有する。
【００３３】
画像処理部１１ａは、信号処理部２ｈから出力された画像データに対して各種の画像処理を施して記憶部９に出力する。具体的には、画像処理部１１ａは、信号処理部２ｈから出力された画像データに対してエッジ強調、色補正およびγ補正等の処理を施す。
【００３４】
撮影モード設定部１１ｂは、各撮影シーンに適した撮影のフレームレートが予め設定された複数の撮影モードの中からいずれかの撮影モードを設定する。具体的には、撮影モード設定部１１ｂは、モード切換スイッチ６ｃまたはメニュースイッチ６ｅ等から入力される操作信号に基づいて、撮影モード情報記憶部９ｃが記憶する複数の撮影モードの中から撮像装置１の撮影モードを設定する。
【００３５】
特殊効果画像生成部１１ｃは、タッチパネル８が入力を受け付けた情報に応じた特殊効果を、撮像部２が生成した画像データに対応する画像に特殊効果を施して特殊効果画像を生成する。具体的には、特殊効果画像生成部１１ｃは、撮像部２が連続的に生成する画像データに対して、撮像部２のレンズ部２ａの前面に各種の光学フィルター、たとえば色変換フィルターやコントラスト調整フィルター等を用いた場合に得られる特殊効果、または特定用途の撮影レンズ、たとえば魚眼レンズやアオリ機構付き撮影レンズ等を用いた場合に得られる特殊効果と同様の効果を施した特殊効果画像を生成する。なお、特殊効果画像生成部１１ｃは、撮像部２が生成する画像データに対して効果が異なる２以上の特殊効果を施した特殊効果画像を生成してもよい。さらに、特殊効果画像生成部１１ｃは、操作スイッチ６ｄから入力される操作信号に応じた特殊効果を撮影部２が生成する画像データに対応する画像に特殊効果を施して特殊効果画像を生成してもよい。
【００３６】
表示制御部１１ｄは、表示部７の表示を制御する。表示制御部１１ｄは、撮影モード設定部１１ｂが設定した撮影モードのフレームレートで順次生成された画像データに対応する画像を時系列に沿って表示部７に表示させるとともに、推奨度情報記憶部９ｄが記憶する推奨度情報テーブルを参照して、特殊効果画像生成部１１ｃが画像に施すべき特殊効果に関する情報を、撮影モードのフレームレートとの組み合わせに応じた推奨度の高い順に表示部７に表示させる。さらに、表示制御部１１ｄは、特殊効果に関する情報をアイコンによって表示部７に表示させる。具体的には、表示制御部１１ｄは、特殊効果に対応する特殊効果アイコンを、推奨度情報テーブルを参照して、撮影モードのフレームレートとの組み合わせに応じた推奨度の高い順に表示部７に表示させる。
【００３７】
以上の構成を有する撮像装置１が行う処理について説明する。図４は、撮像装置１が行う処理の概要を示すフローチャートである。なお、以下においては動画撮影を例に説明する。
【００３８】
図４において、まず、制御部１１は、撮像装置１の電源がオンになっているか否かを判断する（ステップＳ１０１）。撮像装置１の電源がオンになっていない場合（ステップＳ１０１：Ｎｏ）、撮像装置１は本処理を終了する。一方、撮像装置１の電源がオンになっている場合（ステップＳ１０１：Ｙｅｓ）、撮像装置１はステップＳ１０２に移行する。
【００３９】
続いて、制御部１１は、撮像装置１が撮影モードに設定されているか否かを判断する（ステップＳ１０２）。撮像装置１が撮影モードに設定されている場合（ステップＳ１０２：Ｙｅｓ）、レリーズスイッチ６ｂから動画撮影を指示するレリーズ信号が入力されたか否かを判断する（ステップＳ１０３）。動画撮影を指示するレリーズ信号が入力された場合（ステップＳ１０３：Ｙｅｓ）、撮像装置１は、設定された撮影モードおよび特殊効果で動画撮影を開始する（ステップＳ１０４）。この動画撮影は、後述するメニュー操作処理で設定された撮影モードのフレームレートで撮像部２が連続的に生成する画像データ、または撮像部２が連続的に生成する画像データに対して特殊効果画像生成部１１ｃが特殊効果を施した特殊効果画像データを画像データ記憶部９ａに記憶させるものである。一方、動画撮影を指示するレリーズ信号が入力されていない場合（ステップＳ１０３：Ｎｏ）、撮像装置１はステップＳ１０５に移行する。
【００４０】
その後、表示制御部１１ｄは、撮像部２が連続的に生成する画像データに対応する画像のスルー画像（ライブビュー画像）を表示部７に表示させる（ステップＳ１０５）。
【００４１】
図５は、撮像装置１が被写体を撮影する際の状況および表示部７が表示する画像の一例を示す図である。図５において、表示部７が時系列に沿って順次表示するスルー画像のうち代表的な一枚の画像Ｗｎ（ｎ＝自然数）を示す。図５に示すように、撮影者は、たとえば表示部７が表示する画像Ｗｎのようなスルー画像を見ながら被写体Ｏ１の撮影を行う。
【００４２】
ステップＳ１０６において、制御部１１は、メニュースイッチ６ｅが操作されることにより、メニュースイッチ６ｅから操作メニューの表示を指示する指示信号が入力されたか否かを判断する。メニュースイッチ６ｅから操作メニューの表示を指示する指示信号が入力された場合（ステップＳ１０６：Ｙｅｓ）、撮像装置１は、撮像装置１の撮影モードおよび特殊効果を設定するメニュー操作処理を実行し（ステップＳ１０７）、撮像装置１はステップＳ１０８に移行する。一方、メニュースイッチ６ｅから操作メニューの表示を指示する指示信号が入力されていない場合（ステップＳ１０６：Ｎｏ）、撮像装置１はステップＳ１０８に移行する。
【００４３】
続いて、制御部１１は、撮像装置１が撮影中であるか否かを判断する（ステップＳ１０８）。撮像装置１が撮影中でない場合（ステップＳ１０８：Ｎｏ）、撮像装置１はステップＳ１０１に戻る。一方、撮像装置１が撮影中である場合（ステップＳ１０８：Ｙｅｓ）、制御部１１は、撮影の終了操作が行われたか否かを判断する（ステップＳ１０９）。具体的には、制御部１１は、レリーズスイッチ６ｂが操作されることにより、レリーズスイッチ６ｂから撮影終了を指示する指示信号が入力されたか否かを判断する。撮影の終了操作が行われていない場合（ステップＳ１０９：Ｎｏ）、撮像装置１はステップＳ１０５に戻る。一方、撮影の終了操作が行われた場合（ステップＳ１０９：Ｙｅｓ）、撮像装置１はステップＳ１１０に移行する。
【００４４】
その後、制御部１１は、撮像装置１の動画撮影を終了し（ステップＳ１１０）、制御部１１は、撮影した画像データの画像ファイルを作成する（ステップＳ１１１）。この画像ファイルには、撮影した画像データ、撮影した撮影モード情報、撮影した動画のフレームレート情報、特殊効果の有無情報、特殊効果情報、特殊効果の回数情報および日付情報等が格納される。
【００４５】
続いて、制御部１１は、設定された撮影モードおよび特殊効果を初期化し（ステップＳ１１２）、撮像装置１はステップＳ１０１に戻る。具体的には、制御部１１は、メニュー操作処理で設定された撮像装置１の各種設定をメーカの出荷時に設定された初期状態に設定する。
【００４６】
ステップＳ１０２において、撮像装置１が撮影モードに設定されていない場合（ステップＳ１０２：Ｎｏ）について説明する。この場合、撮像装置１は撮影した画像データを再生する再生表示処理を実行し（ステップＳ１１３）、撮像装置１はステップＳ１０１に戻る。
【００４７】
つぎに、図４に示したメニュー操作処理について説明する。図６は、図４に示したメニュー操作処理の概要を示すフローチャートである。
【００４８】
図６に示すように、まず、表示制御部１１ｄは、撮像メニューを表示部７に表示させる（ステップＳ２０１）。具体的には、図７に示すように、表示制御部１１ｄは、操作メニューＭ１として撮影モードメニューアイコンＱ１および特殊効果メニューアイコンＱ２を表示部７に表示させる。撮影モードメニューアイコンＱ１は、各撮影シーンそれぞれに適した撮影のフレームレートが予め設定された複数の撮影モードに関する情報を表示部７に表示させる指示信号が入力されるアイコンである。特殊効果メニューアイコンＱ２は、撮像部２が生成する画像データに施すことが可能な複数の特殊効果に関する情報を表示部７に表示させる指示信号が入力されるアイコンである。なお、表示制御部１１ｄは、たとえばストロボメニューや露出設定メニュー等に関する情報に対応するアイコンを操作メニューＭ１の一部として表示部７に表示させてもよい。
【００４９】
表示制御部１１ｄが操作メニューを表示部７に表示させた後、制御部１１は、撮影モードメニューアイコンＱ１が操作されたか否かを判断する（ステップＳ２０２）。具体的には、図７に示すように、制御部１１は、ユーザが表示部７の画像Ｗｎ上に表示される撮影モードメニューアイコンＱ１をタッチすることにより、タッチパネル８が入力を受け付けた信号によって撮影モードメニューＱ１が操作されたか否かを判断する。撮影モードメニューアイコンＱ１が操作されていない場合（ステップＳ２０２：Ｎｏ）、撮像装置１は後述するステップＳ２０７に移行する。一方、撮影モードメニューアイコンＱ１が操作された場合（ステップＳ２０２：Ｙｅｓ）、表示制御部１１ｄは、撮影モードの一覧を表示部７に表示させ（ステップＳ２０３）、撮像装置１はステップＳ２０４に移行する。
【００５０】
ステップＳ２０４において、制御部１１は、フレームレートの変更を伴う撮影モードが選択されたか否かを判断する。具体的には、ユーザが操作スイッチ６ｄを操作することにより、表示部７が表示する撮影モードの一覧からフレームレートの変更を伴う撮影モードが選択されたか否かを判断する。フレームレートの変更を伴う撮影モードが選択された場合（ステップＳ２０４：Ｙｅｓ）、撮影モード設定部１１ｂは、選択されたフレームレートの変更を伴う撮影モードを撮像装置１に設定し（ステップＳ２０５）、撮像装置１はステップＳ２０７に移行する。一方、所定時間、たとえば３０秒経過した後、フレームレートの変更を伴う撮影モードが選択されていない場合（ステップＳ２０４：Ｎｏ）、撮影モード設定部１１ｂは、通常撮影モードを撮像装置１に設定し（ステップＳ２０６）、撮像装置１はステップＳ２０７に移行する。ここで、通常撮影モードとは、撮影する画像のフレームレートが３０ｆｐｓの撮影モードである。
【００５１】
続いて、制御部１１は、特殊効果メニューアイコンＱ２が操作されたか否かを判断する（ステップＳ２０７）。特殊効果メニューアイコンＱ２が操作された場合（ステップＳ２０７：Ｙｅｓ）、制御部１１は、フレームレートの変更を伴う撮影モードが撮像装置１に設定されているか否かを判断する（ステップＳ２０８）。フレームレートの変更を伴う撮影モードが撮像装置１に設定されている場合（ステップＳ２０８：Ｙｅｓ）、表示制御部１１ｄは、推奨度情報記憶部９ｄが記憶する推奨度テーブルを参照して、特殊効果画像生成部１１ｃが表示部７によって表示される画像に施すべき特殊効果に関する情報を、撮影モード設定部１１ｂが設定した撮影モードのフレームレートとの組み合わせに応じた推奨度の高い順に表示部７に表示させる（ステップＳ２０９）。具体的には、図８に示すように、ミニチュアアイコンＱ１１およびポップアイコンＱ１２を表示部７に表示させる。
【００５２】
ここで、図９を参照して、表示制御部１１ｄが表示部７に表示させる特殊効果アイコンの表示方法について説明する。図９は、推奨度情報記憶部９ｄが記憶する推奨度情報テーブルの一例を示す図である。
【００５３】
図９に示すように、推奨度情報テーブルＴ１には、特殊効果画像生成部１１ｃが画像データに施すことが可能な特殊効果と撮影モードのフレームレートとの組み合わせに応じた推奨度（０〜２）が記載されている。具体的には、撮影モードが「ぱらぱら１（４ｆｐｓ）撮影モード」の場合、特殊効果において「ミニチュア」、「ポップ」、「セピア」および「白黒」の組み合わせの推奨度として「２」が記載されている。さらに、「魚眼」、「ソフト」および「スケッチ」との組み合わせの推奨度として「１」が記載されている。すなわち、推奨度情報テーブルＴ１には、撮影モードのフレームレートと特殊効果との組み合わせの相性が良いほど数値が高く設定されている。
【００５４】
ここで、図９に示した各特殊効果および撮影モードのフレームレートと特殊効果との組み合わせの推奨度について説明する。
【００５５】
まず、図９に示した各特殊効果それぞれについて説明する。ミニチュアとは、周辺のピントをぼかして目の前の実風景をまるで玩具の世界のように仕上げる効果である。ポップとは、色をカラフルで印象的に強調する効果である。たとえば画像データの色相および彩度を高めた処理を行う。魚眼とは、魚眼レンズを用いて撮影したように直線を円弧状に歪ませた画像に仕上げる効果である。たとえば画像データを座標変換等によって歪ませた画像に変更する処理を行う。ソフトとは、ソフトフォーカスレンズを用いて撮影したように画像全体を柔らかに仕上げる効果である。セピアとは、セピア調のモノクロームに仕上げる効果である。たとえばホワイトバランスおよびトーンカーブのレベルを低くした処理を行う。白黒とは、グレートーンで表現される白黒に画像を仕上げる効果である。たとえばホワイトバランスのレベルを低くした処理を行う。スケッチとは、輪郭を線画で描写するスケッチ風に画像を仕上げる効果である。
【００５６】
つぎに、撮影モードのフレームレートと特殊効果との組み合わせの推奨度について説明する。ミニチュアは、実風景をまるで玩具の世界のように仕上げたいときにより効果が発揮されるため、ぱらぱら１撮影モード（４ｆｐｓ）およびぱらぱら２撮影モード（８ｆｐｓ）では推奨度が「２」となる。さらに、ミニチュアは、フレームレートが早すぎると再生時の動画が不自然になるため、早送り撮影モード（２ｆｐｓ）では推奨度が「１」となる。さらにまた、ミニチュアは、静止画撮影に適した特殊効果であるため、通常撮影モード（３０ｆｐｓ）では推奨度が「１」となる。また、ミニチュアは、画像に施す処理に時間が掛かるため、３Ｄ撮影モード（６０ｆｐｓ）、スローモーション１撮影モード（１２０ｆｐｓ）およびスローモーション２撮影モード（２４０ｆｐｓ）では、推奨度が「０」となる。
【００５７】
ポップは、色をカラフルで印象的に強調してテンポよく仕上げたときにより効果が発揮されるため、ぱらぱら１撮影モード、ぱらぱら２撮影モード、通常撮影モードおよび３Ｄ撮影モードでは推奨度が「２」となる。さらに、ポップは、スローテンポでは効果を強調することが難しいため、スローモーション１撮影およびスローモーション２撮影モードでは推奨度が「１」となる。さらにまた、ポップは、テンポが速すぎると再生時の動画が不自然になるため、早送り撮影モードでは推奨度が「１」となる。
【００５８】
魚眼は、歩きながら風景を撮影する際に風景が徐々に変わっていく表現を行うことができるため、早送り撮影モードでは推奨度が「２」となる。さらに、魚眼は、静止画撮影に適した特殊効果であるため、ぱらぱら１撮影モード、ぱらぱら２撮影モードおよび通常撮影モードでは推奨度が「１」となる。さらにまた、魚眼は、画像に施す処理に時間が掛かるため、３Ｄ撮影モード、スローモーション１撮影モードおよびスローモーション２撮影モードでは推奨度が「０」となる。
【００５９】
ソフトは、画像全体を柔らかに仕上げ、回想シーンをより強調して表現を行うことができるため、スローモーション１撮影、スローモーション２撮影および通常撮影モードでは推奨度が「２」となる。さらに、ソフトは、回想シーンを表現することが難しいため、早送り撮影モード、ぱらぱら１撮影モードおよびぱらぱら２撮影モードでは推奨度が「１」となる。さらにまた、ソフトは、左右の目で認識することができる情報量が少なくなり３次元画像をユーザに認識させることが難しくなるため、３Ｄ撮影モードでは推奨度が「１」となる。
【００６０】
セピアおよび白黒は、昔の映画のような表現を行うことができるため、ぱらぱら１撮影モードおよびぱらぱら２撮影モードでは推奨度が「２」となる。さらに、セピアおよび白黒は、強調した回想シーンを強調して表示することができるため、通常撮影モードおよび、スローモーション１撮影モードおよびスローモーション２撮影モードでは推奨度が「２」となる。さらにまた、セピアおよび白黒は、左右の目で認識することができる情報量が少なくなり３次元画像をユーザに認識させることが難しくなるため、３Ｄ撮影モードでは推奨度が「１」となる。さらにまた、セピアおよび白黒は、再生時の動画が不自然になるため、早送り撮影モードでは推奨度が「１」となる。
【００６１】
スケッチは、被写体の輪郭を線画で描写してアニメーションのような表現を行うことができるため、ぱらぱら２撮影モードでは推奨度が「２」となる。さらに、スケッチでは、静止画撮影に適して特殊効果であるため、早送り撮影モード、ぱらぱら１撮影モード、通常撮影モード、スローモーション１撮影モードおよびスローモーション２撮影モードでは推奨度が「１」となる。さらにまた、スケッチは、左右の目で認識することができる情報量が少なくなり３次元画像をユーザに認識させることが難しくなるため、３Ｄ撮影モードでは推奨度が「０」となる。
【００６２】
このように、推奨度情報テーブルＴ１の推奨度には、撮影モードのフレームレートと特殊効果との組み合わせの相性が良いほど数値が段階的に高く設定されている。さらに、推奨度情報テーブルＴ１の推奨度には、撮影モードのフレームレートと特殊効果との不向きな組み合わせに「０」を設定している。これにより、表示制御部１１ｄは、特殊効果に関する情報を特殊効果アイコンとして表示部７に表示させる場合、推奨度情報記憶部９ｄが記憶する推奨度情報テーブルＴ１を参照して、撮影モード設定部１１ｂが設定した撮影モードのフレームレートとの組み合わせの推奨度が高い順に表示させる。
【００６３】
さらに、表示制御部１１ｄは、撮影モード設定部１１ｂが設定した撮影モードのフレームレートに対して組み合わせることが可能な特殊効果に関する情報のみ表示部７に表示させる。たとえば、表示制御部１１ｄは、撮影モード設定部１１ｂがスローモーション１撮影モードを設定した場合、ポップ、ソフト、セピア、白黒およびスケッチに関する特殊効果アイコンのみを表示部７に表示させる。この結果、撮像装置１は、設定された撮影モードのフレームレートで生成された画像データに最適な特殊効果の組み合わせの指針となる情報をユーザに提示することができる。なお、図９に示す数値は、あくまでも例示にすぎずこれに限定されるものではなく、たとえば操作スイッチ６ｄ等で推奨度の数値を変更することも可能である。また、推奨度は、特殊効果と撮影モードのフレームレートとの組み合わせの相性が良いほど数値を段階的に低く設定してもよい。
【００６４】
図６に戻り、ステップＳ２１０において、制御部１１は、特殊効果アイコンの切換操作が行われたか否かを判断する。具体的には、図８に示すように、制御部１１は、表示部７によって現在表示される特殊効果アイコンから次の推奨度が高い特殊効果アイコンに切換えを指示する指示信号の入力を受け付ける切換アイコンＱ１３または切換アイコンＱ１４をユーザがタッチしたか否かを判断する。ユーザによって特殊効果アイコンの切換操作が行われた場合（ステップＳ２１０：Ｙｅｓ）、表示制御部１１ｄは、推奨度情報テーブルＴ１を参照して、次に推奨度が高い特殊効果に関する特殊効果アイコンに切換えて表示部７に表示させる（ステップＳ２１１）、撮像装置１はステップＳ２１０に戻る。具体的には、図１０に示すように、表示制御部１１ｄは、ミニチュアアイコンＱ１１およびポップアイコンＱ１２からセピアアイコンＱ２１および白黒アイコンＱ２２を表示させる（図１０（ａ）→図１０（ｂ））。これにより、ユーザは、推奨度の高い順に特殊効果を切換えながら選択することができる。
【００６５】
ステップＳ２１０において、特殊効果アイコンの切換操作が行われていない場合（ステップＳ２１０：Ｎｏ）について説明する。この場合、制御部１１は、特殊効果アイコンが操作されたか否かを判断する（ステップＳ２１２）。特殊効果アイコンが操作された場合（ステップＳ２１２：Ｙｅｓ）、特殊効果画像生成部１１ｃは、撮像部２が生成した画像データに対し、ユーザがタッチした特殊効果アイコンに応じた特殊効果、たとえばポップを施した特殊効果画像を生成する（ステップＳ２１３）。
【００６６】
続いて、表示制御部１１ｄは、特殊効果画像生成部１１ｃが生成した特殊効果画像を表示部７に表示させ（ステップＳ２１４）、撮像装置１は図４に示したメインルーチンに戻る。具体的には、図１１に示すように、表示制御部１１ｄは、特殊効果画像生成部１１ｃが画像データに特殊効果、たとえばポップを施した特殊効果画像Ｗｍ（ｍ＝整数）を表示部７に表示させる。これにより、表示部７が表示するスルー画像は、特殊効果が施された画像になり、ユーザは特殊効果と撮影の構図を確認しながらリアルタイムで撮影を行うことができる。なお、図１１では、ポップの特殊効果を表現するため、太線で表現しているがあくまでも例示にすぎない。
【００６７】
ステップＳ２１２において、所定時間、たとえば３０秒間内に特殊効果アイコンが操作されていない場合（ステップＳ２１２：Ｎｏ）について説明する。この場合、表示制御部１１ｄは、表示部７が表示する特殊効果アイコンの表示を終了させ（ステップＳ２１５）、撮像装置１は図４に示したメインルーチンに戻る。
【００６８】
ステップＳ２０８において、フレームレートの変更を伴う撮影モードが撮像装置１に設定されていない場合（ステップＳ２０８：Ｎｏ）について説明する。この場合、表示制御部１１ｄは、特殊効果に関する特殊効果アイコンの一覧を表示部７に表示させ（ステップＳ２１６）、撮像装置１はステップＳ２１２に移行する。
【００６９】
ステップＳ２０７において、特殊効果メニューアイコンが操作されていない場合（ステップＳ２０７：Ｎｏ）について説明する。この場合、制御部１１は、表示部７が操作メニューＭ１を表示してから所定時間、たとえば３０秒経過したか否かを判断する（ステップＳ２１７）。表示部７が操作メニューＭ１を表示してから所定時間経過していない場合（ステップＳ２１７：Ｎｏ）、撮像装置１はステップＳ２０１に戻る。一方、表示部７が操作メニューＭ１を表示してから所定時間経過した場合（ステップＳ２１７：Ｙｅｓ）、表示制御部１１ｄは、表示部７が表示する操作メニューＭ１の表示を終了させ（ステップＳ２１８）、撮像装置１は図４に示したメインルーチンに戻る。
【００７０】
つぎに、図４に示した再生表示処理について説明する。図１２は、図４に示す再生表示処理の概要を示すフローチャートである。
【００７１】
図１２に示すよう、まず、表示制御部１１ｄは、画像データ記憶部９ａに記憶された複数の画像データをまとめて表示した画像選択画面を表示部７に表示させる（ステップＳ３０１）。
【００７２】
続いて、制御部１１は、ユーザがタッチパネル８をタッチすることによって表示部７が表示する画像選択画面の中から画像が選択されたか否かを判断する（ステップＳ３０２）。所定時間、たとえば３０秒経過後に、ユーザによって画像選択画面の中から画像が選択されていない場合（ステップＳ３０２：Ｎｏ）、撮像装置１は後述するステップＳ３０６に移行する。一方、ユーザによって画像選択画面の中から画像が選択された場合（ステップＳ３０２：Ｙｅｓ）、制御部１１は、選択された画像が動画であるか否かを判断する（ステップＳ３０３）。具体的には、制御部１１は、選択された画像の画像ファイルに格納された動画情報、たとえば記録方式に基づいて判断する。選択された画像が動画である場合（ステップＳ３０３：Ｙｅｓ）、撮像装置１は後述するステップＳ３０４に移行する。一方、選択された画像が動画でない場合（ステップＳ３０３：Ｎｏ）、撮像装置１は後述するステップＳ３０７に移行する。
【００７３】
ステップＳ３０３において、選択された画像が動画である場合（ステップＳ３０３：Ｙｅｓ）について説明する。この場合、表示制御部１１ｄは、動画の画像ファイルに格納された撮影モードのフレームレートに基づいて動画を再生し（ステップＳ３０４）、制御部１１は、動画の再生が終了したか否かを判断する（ステップＳ３０５）。動画の再生が終了していない場合（ステップＳ３０５：Ｎｏ）、制御部１１は、この判断を繰り返す。一方、動画の再生が終了した場合（ステップＳ３０５：Ｙｅｓ）、撮像装置１はステップＳ３０６に移行する。
【００７４】
続いて、制御部１１は、画像再生の終了操作が行われたか否かを判断する（ステップＳ３０６）。画像再生の終了操作が行われていない場合（ステップＳ３０６：Ｎｏ）、撮像装置１はステップ３０１に戻る。一方、画像再生の終了操作が行われた場合（ステップＳ３０６：Ｙｅｓ）、撮像装置１は図４に示すメインルーチンに戻る。
【００７５】
ステップＳ３０３において、選択された画像が動画でない場合（ステップＳ３０３：Ｎｏ）について説明する。この場合、表示制御部１１ｄは、選択された画像を表示部７に全画面表示させ（ステップＳ３０７）、制御部１１は、画像の切換操作が行われたか否かを判断する（ステップＳ３０８）。具体的には、操作スイッチ６ｄが操作されることにより、操作スイッチ６ｄから表示部７が表示する画像の切換を指示する指示信号が入力されたか否かを判断する。画像の切換操作が行われた場合（ステップＳ３０８：Ｙｅｓ）、表示制御部１１ｄは、表示部７が現在表示している画像の切換を行い（ステップＳ３０９）、撮像装置１はステップＳ３０７に戻る。一方、画像を全画面表示してから所定時間、たとえば３０秒間後に、画像の切換操作が行われていない場合（ステップＳ３０８：Ｎｏ）、撮像装置１はステップＳ３０６に移行する。
【００７６】
以上説明した本発明の一実施の形態では、表示制御部１１ｄが、撮影モード設定部１１ｂによって設定された撮影モードのフレームレートで生成された画像データに対応する画像を表示部７に表示させるとともに、推奨度情報記憶部９ｄが記憶する推奨度情報テーブルＴ１を参照して、特殊効果画像生成部１１ｃが画像データに施すべき特殊効果に関する情報を、撮影モード設定部１１ｂが設定した撮影モードのフレームレートとの組み合わせに応じた推奨度の高い順に表示部７に表示させる。これにより、撮像装置１は、設定された撮影モードのフレームレートで生成された画像に対して最適な特殊効果の組み合わせの指針となる情報をユーザに提示することができる。
【００７７】
さらに、本発明の一実施の形態では、表示制御部１１ｄが、最初に推奨度の高い特殊効果のアイコンを表示部７に表示させるので、ユーザは特殊効果の選択操作によって被写体のシャッタチャンスを逃すことなく、設定した撮影モードのフレームレートで生成される画像に対して特殊効果を施すことができる。
【００７８】
なお、本発明の一実施の形態では、制御部１１が、表示部７によって画像上に表示される各種アイコンがタッチされた際にタッチパネル８が入力を受け付けた信号によってユーザが所望するアイコンを選択して決定していたが、操作スイッチ６ｄから入力される指示信号に応じてユーザが所望するアイコンを選択して決定してもよい。これにより、ユーザは、操作スイッチ６ｄを操作することで表示部７が表示する撮影モードに関する情報および特殊効果に関する情報を選択して決定することができる。
【００７９】
また、本発明の一実施の形態では、表示制御部１１ｄが推奨度情報記憶部９ｄによって記憶された推奨度情報テーブルＴ１を参照して、撮影モード設定部１１ｂが設定した撮影モードで生成された画像に対して特殊効果の組み合わせの推奨度が高い順に特殊効果アイコンの色および／または大きさを変えた表示態様で表示部７に強調表示させてもよい。これにより、ユーザは、撮影モードと特殊効果との組み合わせの選択の指針となる情報に基づいて、最適な撮影モードと特殊効果との組み合わせをより直感的に選択することができる。
【００８０】
また、本実施の一実施の形態では、表示制御部１１ｄは、特殊効果アイコンを２つのみ表示部７に表示させていたが、たとえば同じ推奨度の特殊効果に対応する特殊効果アイコンを表示部７に表示させるようにしてもよい。この場合、表示制御部１１ｄは、各特殊効果アイコンをそれぞれ縮小して縦一例または横一列に並べて表示するようにしてもよい。
【００８１】
また、本発明の一実施の形態では、通信部１０を介してパーソナルコンピュータやサーバ等の外部処理装置に接続することによって、制御部１１が通信部１０を介して受信した情報に基づいて推奨度情報記憶部９ｄに記憶された推奨度情報テーブルＴ１の更新または書き換えを行ってもよい。これにより、表示制御部１１ｄは、新たに追加された特殊効果と撮影モードのフレームレートとの組み合わせを加味した推奨度で特殊効果アイコンを表示することができる。さらに、記憶部９に装着可能な記憶媒体、たとえばメモリカード等に新たに追加された特殊効果や撮影モードの組み合わせの推奨度を記憶させ、制御部１１が記憶媒体から取得して推奨度情報記憶部９ｄに記憶させることで推奨度情報テーブルＴ１の更新または書き換えを行ってもよい。
【００８２】
また、本発明の一実施の形態では、姿勢検出部３は、撮像装置１の姿勢状態を検出していたが、たとえば、ユーザが表示部７の表示画面をタップした際に生じる加速度を検出することにより、撮像装置１の各種撮影モードまたは各種設定を切換えるタッチ操作の操作信号を受け付け、この操作信号を制御部１１に出力するようにしてもよい。
【００８３】
また、本発明の一実施の形態では、ユーザによって切換アイコンＱ１３，Ｑ１４がタッチされた場合に、表示制御部１１ｄが特殊効果アイコンを切換えていたが、たとえばユーザが表示部７の画像上に表示される特殊効果アイコンの領域上でタッチパネル８にタッチした軌跡に応じて表示制御部１１ｄが特殊効果アイコンに切換えてもよい。
【００８４】
また、本発明の一実施の形態では、撮像装置１をデジタルカメラとして説明していたが、たとえば一眼デジタルスチールカメラ、デジタルビデオカメラ、カメラ付き携帯電話等の撮影機能を備えた各種電子機器に適用することができる。
【符号の説明】
【００８５】
１            撮像装置
２            撮像部
２ａ          レンズ部
２ｂ          レンズ駆動機構
２ｃ          絞り
２ｄ          絞り駆動機構
２ｅ          シャッタ
２ｆ          シャッタ駆動機構
２ｇ          撮像素子
２ｈ          信号処理部
３            姿勢検出部
４            発光部
５            時計
６            操作入力部
６ａ          電源スイッチ
６ｂ          レリーズスイッチ
６ｃ          モード切換スイッチ
６ｄ          操作スイッチ
６ｅ          メニュースイッチ
６ｆ          ズームスイッチ
７            表示部
８            タッチパネル
９            記憶部
９ａ          画像データ記憶部
９ｂ          プログラム記憶部
９ｃ          撮影モード情報記憶部
９ｄ          推奨度情報記憶部
１０          通信部
１１          制御部
１１ａ        画像処理部
１１ｂ        撮影モード設定部
１１ｃ        特殊効果画像生成部
１１ｄ        表示制御部
Ｔ１          推奨度情報テーブル
【図１】
0005514070.tif 000002
【図２】
0005514070.tif 000003
【図３】
0005514070.tif 000004
【図４】
0005514070.tif 000005
【図５】
0005514070.tif 000006
【図６】
0005514070.tif 000007
【図７】
0005514070.tif 000008
【図８】
0005514070.tif 000009
【図９】
0005514070.tif 000010
【図１０】
0005514070.tif 000011
【図１１】
0005514070.tif 000012
【図１２】
0005514070.tif 000013